(57)【要約】【課題】音声を自動的に選択及び再生する装置において、ユーザの行動が反映された音声を選択し、再生することができる技術を提供する。【解決手段】情報取得端末（４１）は、制御部（４６）と、音声出力部（４４）と、を備えた端末装置であって、上記制御部は、当該端末装置の動作状態を表す動作情報を生成し、且つ、当該動作情報に関連付けられた所定の音声データが表す音声を、上記音声出力部を介して出力する。【選択図】図１
2019079121.tif 000002
【特許請求の範囲】
【請求項１】
制御部と、音声出力部と、を備えた端末装置であって、
上記制御部は、当該端末装置の動作状態を表す動作情報を生成し、且つ、当該動作情報に関連付けられた所定の音声データが表す音声を上記音声出力部を介して出力する、
ことを特徴とする端末装置。
【請求項２】
上記制御部は、
動作状態と、音声データとが関連付けられた選曲ルールデータベースを参照し、
上記動作情報が表す動作状態に関連付けられた音声データのうち何れか１つの音声データを上記所定の音声データとして選択し、当該所定の音声データが表す上記音声を、上記音声出力部を介して出力する、
ことを特徴とする請求項１に記載の端末装置。
【請求項３】
上記制御部は、
動作状態と、当該動作状態を場合分けする条件と、音声データとが関連付けられた選曲ルールデータベースを参照し、
上記動作状態が適合する条件に関連付けられた音声データのうち何れか１つの音声データを上記所定の音声データとして選択し、
当該所定の音声データが表す上記音声を、上記音声出力部を介して出力する、
ことを特徴とする請求項１又は２に記載の端末装置。
【請求項４】
上記制御部は、
動作状態と、当該動作状態を場合分けする条件と、音声データと、当該音声データが表す音声を出力するときの出力パラメータとが関連付けられた選曲ルールデータベースを参照し
上記動作状態が適合する条件に関連付けられた音声データのうち何れか１つの音声データを上記所定の音声データとして選択し、
当該所定の音声データが表す上記音声を、上記動作状態が適合する条件に関連付けられた上記出力パラメータにしたがって、上記音声出力部を介して出力する、
ことを特徴とする請求項１〜３の何れか１項に記載の端末装置。
【請求項５】
当該端末装置をサーバとネットワーク接続する通信部を更に備え、
上記制御部は、上記動作情報を上記通信部を介して上記サーバに送信したうえで、上記サーバから上記通信部を介して受信した上記所定の音声データが表す音声を、上記音声出力部を介して出力する、
ことを特徴とする請求項１〜４の何れか１項に記載の端末装置。
【請求項６】
当該端末装置は、調理家電である、
ことを特徴とする請求項１〜５の何れか１項に記載の端末装置。
【請求項７】
請求項１〜６の何れか１項に記載の端末装置としてコンピュータを機能させるための音声出力プログラムであって、上記制御部としてコンピュータを機能させるための音声出力プログラム。
【請求項８】
制御部と通信部とを含み、当該通信部を用いて端末装置とネットワーク接続されたサーバであって、
上記制御部は、
上記端末装置の動作状態を表す動作情報を、通信部を介して上記端末装置から受信し、
上記動作状態に関連付けられた音声データを所定の音声データとして選択し、
上記所定の音声データを上記端末装置に送信する、
ことを特徴とするサーバ。
【請求項９】
（１）端末制御部と、端末通信部と、音声出力部とを含む端末装置と、（２）サーバ制御部と、サーバ通信部とを含むサーバと、を備え、上記端末通信部及び上記サーバ通信部を介して上記端末装置と上記サーバとがネットワーク接続された音声出力システムであって、
当該端末装置の動作状態を表す動作情報を生成し、且つ、当該動作情報に関連付けられた所定の音声データが表す音声を、上記音声出力部を介して出力する、
ことを特徴とする音声出力システム。
【請求項１０】
音声出力部を含む端末装置と、当該端末装置とネットワーク接続されたサーバとを備えた音声出力システムが音声を出力する音声出力方法であって、
当該端末装置の動作状態を表す動作情報を生成する動作情報生成工程と、
当該動作情報に関連付けられた所定の音声データを選択する音声データ選択工程と、
上記所定の音声データが表す音声を、上記音声出力部を介して出力する音声出力工程と、を含む、
ことを特徴とする音声出力方法。
【請求項１１】
制御部と通信部とを含み、当該通信部を用いて第１の端末装置及び第２の端末装置とネットワーク接続されたサーバであって、
上記制御部は、
上記第１の端末装置の動作状態を表す動作情報を、通信部を介して上記端末装置から受信し、
上記動作状態に関連付けられた音声データを所定の音声データとして選択し、
上記所定の音声データを上記第２の端末装置に送信する、
ことを特徴とするサーバ。
【請求項１２】
（１）第１の端末制御部と、第１の端末通信部とを含む第１の端末装置と、（２）サーバ制御部と、サーバ通信部とを含むサーバと、（３）第２の端末制御部と、第２の端末通信部と、音声出力部とを含む第２の端末装置と、を備え、上記第１の端末装置と、上記サーバと、上記第２の端末装置とがネットワーク接続された音声出力システムであって、
上記第１の端末装置の動作状態を表す動作情報を生成し、且つ、当該動作情報に関連付けられた所定の音声データが表す音声を、上記音声出力部を介して出力する、
ことを特徴とする音声出力システム。
【請求項１３】
第１の端末装置と、サーバと、音声出力部を含む第２の端末装置とを備え、上記第１の端末装置と、上記サーバと、上記第２の端末装置とがネットワーク接続された音声出力システムが音声を出力する音声出力方法であって、
当該第１の端末装置の動作状態を表す動作情報を生成する動作情報生成工程と、
当該動作情報に関連付けられた所定の音声データを選択する音声データ選択工程と、
上記所定の音声データが表す音声を、上記音声出力部を介して出力する音声出力工程と、を含む、
ことを特徴とする音声出力方法。
【発明の詳細な説明】
【技術分野】
【０００１】
本発明は、主に、音声を出力する端末装置に関する。
【背景技術】
【０００２】
従来技術として、特許文献１には、自動選曲及び自動編集機能を有した楽曲編集・再生装置が開示されている。当該楽曲編集・再生装置は、気象情報や、生体情報や、環境情報などの外的情報と、楽曲特徴情報とに基づいて、ユーザの気分に合うと推定される楽曲を選択し、その楽曲を再生する。ここで、気象情報とは、気温、天候、湿度、風速、及び光度を表す情報であり、生体情報とは、体温、心拍数、血圧、及び脳波を表す情報であり、環境情報とは、場所、時刻、環境音、風景、及び臭いを表す情報である。なお、楽曲は、本願明細書に記載の音声に読み替えることができる。
【先行技術文献】
【特許文献】
【０００３】
【特許文献１】特開２００６−１０６１０３号公報（２００６年４月２０日公開）
【発明の概要】
【発明が解決しようとする課題】
【０００４】
しかし、上述の特許文献１に記載の楽曲編集・再生装置は、上述した外的情報からユーザの気分に合うであろう楽曲を推定して選曲できるものの、ユーザの行動を選曲に反映することができない。これは、ユーザの行動に伴う変化が上述した外的情報の変化に反映されないためである。したがって、特許文献１に記載の楽曲編集・再生装置は、外的情報の変化からユーザの行動の変化を検知することができず、当然のことながらユーザの行動を選曲に反映させることもできない。
【０００５】
本発明の一態様は、上記の問題に鑑みてなされたものであり、その目的は、音声を自動的に選択し、再生する装置において、ユーザの行動が反映された音声を選択し、再生することができる技術を提供することである。
【課題を解決するための手段】
【０００６】
上記の課題を解決するために、本発明の一態様に係る端末装置は、制御部と、音声出力部と、を備えた端末装置であって、上記制御部は、当該端末装置の動作状態を表す動作情報を生成し、且つ、当該動作情報に関連付けられた所定の音声データが表す音声を上記音声出力部を介して出力する。
【０００７】
上記の課題を解決するために、本発明の一態様に係るサーバは、制御部と通信部とを含み、当該通信部を用いて端末装置とネットワーク接続されたサーバであって、上記制御部は、上記端末装置の動作状態を表す動作情報を通信部を介して上記端末装置から受信し、上記動作状態に関連付けられた音声データを所定の音声データとして選択し、上記所定の音声データを上記端末装置に送信する。
【０００８】
上記の課題を解決するために、本発明の一態様に係る音声出力システムは、（１）端末制御部と、端末通信部と、音声出力部とを含む端末装置と、（２）サーバ制御部と、サーバ通信部とを含むサーバと、を備え、上記端末通信部及び上記サーバ通信部を介して上記端末装置と上記サーバとがネットワーク接続された音声出力システムであって、当該端末装置の動作状態を表す動作情報を生成し、且つ、当該動作情報に関連付けられた所定の音声データが表す音声を上記音声出力部を介して出力する。
【０００９】
上記の課題を解決するために、本発明の一態様に係る音声出力方法は、音声出力部を含む端末装置と、当該端末装置とネットワーク接続されたサーバとを備えた音声出力システムが音声を出力する音声出力方法であって、当該端末装置の動作状態を表す動作情報を生成する動作情報生成工程と、当該動作情報に関連付けられた所定の音声データを選択する音声データ選択工程と、上記所定の音声データが表す音声を上記音声出力部を介して出力する音声出力工程と、を含む。
【００１０】
上記の課題を解決するために、本発明の一態様に係るサーバは、制御部と通信部とを含み、当該通信部を用いて第１の端末装置及び第２の端末装置とネットワーク接続されたサーバであって、上記制御部は、上記第１の端末装置の動作状態を表す動作情報を通信部を介して上記端末装置から受信し、上記動作状態に関連付けられた音声データを所定の音声データとして選択し、上記所定の音声データを上記第２の端末装置に送信する。
【００１１】
上記の課題を解決するために、本発明の一態様に係る音声出力システムは、（１）第１の端末制御部と、第１の端末通信部とを含む第１の端末装置と、（２）サーバ制御部と、サーバ通信部とを含むサーバと、（３）第２の端末制御部と、第２の端末通信部と、音声出力部とを含む第２の端末装置と、を備え、上記第１の端末装置と、上記サーバと、上記第２の端末装置とがネットワーク接続された音声出力システムであって、上記第１の端末装置の動作状態を表す動作情報を生成し、且つ、当該動作情報に関連付けられた所定の音声データが表す音声を上記音声出力部を介して出力する。
【００１２】
上記の課題を解決するために、本発明の一態様に係る音声出力方法は、第１の端末装置と、サーバと、音声出力部を含む第２の端末装置とを備え、上記第１の端末装置と、上記サーバと、上記第２の端末装置とがネットワーク接続された音声出力システムが音声を出力する音声出力方法であって、当該第１の端末装置の動作状態を表す動作情報を生成する動作情報生成工程と、当該動作情報に関連付けられた所定の音声データを選択する音声データ選択工程と、上記所定の音声データが表す音声を上記音声出力部を介して出力する音声出力工程と、を含む。
【発明の効果】
【００１３】
本発明の一態様によれば、音声を自動的に選択及び再生する装置において、ユーザの行動が反映された音声を選択し、再生することができる。
【図面の簡単な説明】
【００１４】
【図１】本発明の実施形態１に係る音声出力システムの構成を示すブロック図である。
【図２】本発明の実施形態１に係る音声出力システムの具体例を示す概略図である。
【図３】本発明の実施形態１に係る音声出力システムによる音声出力方法を説明するシーケンス図である。
【図４】本発明の実施形態１に係る音声出力システムによる音声出力方法を説明するフローチャート図である。
【図５】本発明の実施形態２に係る音声出力システムの構成を示すブロック図である。
【図６】本発明の実施形態２に係る音声出力システムによる音声出力方法を説明するシーケンス図である。
【図７】本発明の実施形態２に係る音声出力システムによる音声出力方法を説明するフローチャート図である。
【図８】本発明の実施形態３に係る情報取得端末の構成を示すブロック図である。
【図９】管理サーバ、投稿サーバ、または端末として利用可能なコンピュータの構成を例示したハードウェアのブロック図である。
【発明を実施するための形態】
【００１５】
以下、本発明の実施形態について、詳細に説明する。ただし、本実施形態に記載されている構成は、特に特定的な記載がない限り、この発明の範囲をそれのみに限定する趣旨ではなく、単なる説明例に過ぎない。
【００１６】
〔実施形態１〕
（音声出力システム１０）
本発明の実施形態１に係る音声出力システム１０について、図１を参照して説明する。図１は、本実施形態に係る音声出力システム１０の構成を示すブロック図である。図１が示すように、音声出力システム１０は、再生端末１１、サーバ２１、及び情報取得端末４１を含む。
【００１７】
（再生端末１１及び情報取得端末４１）
再生端末１１は、入力受付部１２、音声入力部１３、音声出力部１４、通信部１５、並びに、制御部１６を備えている。また、情報取得端末４１は、再生端末１１と同様に、入力受付部４２、音声入力部４３、音声出力部４４、通信部４５、及び、制御部４６を備えている。以上のように、情報取得端末４１は、再生端末１１と同様の部材を有しており、再生端末１１と同様の機能を有している。そのため、以下では、再生端末１１が備えている各部材について説明し、情報取得端末４１が備えている各部材についての説明は省略する。
【００１８】
入力受付部１２は、再生端末１１を使用するユーザによる入力を受け付ける。入力受付部１２の例として、リモコンからの信号を受信する赤外線受信部、ユーザによる操作を受け付けるタッチパネルなどの操作部、又は冷蔵庫のドア若しくは机の引き出しなどの開閉を検知するセンサー等が挙げられる。
【００１９】
音声入力部１３は、ユーザの音声、又は再生端末１１の周囲の音声等を入力し、入力した音声を電気信号としての音声情報に変換する。音声入力部１３の例として、マイク等が挙げられる。
【００２０】
制御部１６は、再生端末１１の各構成要素を統括的に制御する機能を備えている演算装置である。制御部１６は、例えば１つ以上のプロセッサ（例えばＣＰＵなど）が、記憶装置であるメモリ（例えばＲＡＭやＲＯＭなど）に記憶されているプログラムを実行することで再生端末１１の各構成要素を制御する。たとえば、制御部１６は、プログラムを実行することで動作決定部１７及び状態検知部１８として機能する。
【００２１】
同様に、制御部４６は、情報取得端末４１の各構成要素を統括的に制御する機能を備えている演算装置である。制御部４６は、例えば１つ以上のプロセッサ（例えばＣＰＵなど）が、記憶装置であるメモリ（例えばＲＡＭやＲＯＭなど）に記憶されているプログラムを実行することで情報取得端末４１の各構成要素を制御する。たとえば、制御部４６は、プログラムを実行することで動作決定部４７及び状態検知部４８として機能する。
【００２２】
動作決定部１７は、入力受付部１２又は音声入力部１３が受け付けた入力に基づいて、再生端末１１の動作を決定する。
【００２３】
状態検知部１８は、入力受付部１２若しくは音声入力部１３による入力情報、又は動作決定部１７が決定した再生端末１１の動作に関する情報を参照して、再生端末１１の動作状態を検知し、再生端末１１の動作状態を表す動作情報を生成する。
【００２４】
通信部１５は、状態検知部１８が生成した動作情報と、再生端末１１の端末情報とを、ネットワーク１を介して、サーバ２１に送信する。また、通信部１５は、サーバ２１が動作情報及び端末情報に基づいて選択した楽曲情報を、サーバ２１から受信する。
【００２５】
音声出力部１４は、通信部１５がサーバ２１から受信した楽曲情報が示す楽曲を出力する。音声出力部の例として、スピーカ、ヘッドフォン、及びイヤホン等が挙げられる。
【００２６】
（サーバ２１）
サーバ２１は、通信部２２、楽曲選択部２３１を有する制御部２３、及び記憶部２４を備えている。
【００２７】
通信部２２は、再生端末１１の通信部１５、又は情報取得端末４１の通信部４５から、動作情報及び端末情報を受信する。
【００２８】
制御部２３は、サーバ２１の各構成要素を統括的に制御する機能を備えている演算装置である。制御部２３は、例えば１つ以上のプロセッサ（例えばＣＰＵなど）が、記憶装置であるメモリ（例えばＲＡＭやＲＯＭなど）に記憶されているプログラムを実行することでサーバ２１の各構成要素を制御する。
【００２９】
制御部２３の楽曲選択部２３１は、通信部２２が受信した動作情報及び端末情報と、記憶部２４が格納しているデータベースとを参照して、所定の音声データを選択する。
【００３０】
記憶部２４は、制御部２３で用いられるデータベースを格納する記憶装置である。記憶部２４は、例えば、内容の書き換えが可能な不揮発性メモリである、ＥＰＲＯＭ、ＥＥＰＲＯＭ（登録商標）、ＨＤＤ、又はフラッシュメモリなどで実現され得る。
【００３１】
記憶部２４が格納するデータベースは、選曲ルールＤＢ２４１、プレイリスト２４２、及び機器管理ＤＢ２４３を含む。選曲ルールＤＢは、再生端末１１又は情報取得端末４１の動作状態に応じて再生用の楽曲を選曲するためのルールのデータベース（動作状態と音声データとが関連付けられたデータベース）である。また、プレイリストＤＢは、再生用の楽曲を示す音声データのデータベースである。また、機器管理ＤＢは、再生端末１１又は情報取得端末４１についての、ユーザ毎の端末情報のデータベースである。なお、これらのデータベースは、サーバ２１の外部の別の記憶装置が格納していてもよい。その場合、例えば、全てのデータベースは、外部サーバが格納してもよい。また、例えば、外部の音声配信サービスを活用するような場合、プレイリストＤＢ（楽曲データ）のみは、外部サーバが格納していてもよい。
【００３２】
図２は、図１が示す音声出力システム１０の具体例を示す概略図である。図２が示すように、情報取得端末４１は、冷蔵庫４１Ａ、調理家電４１Ｂ、学習机４１Ｃ、又は目覚まし時計（アラーム）４１Ｄ等であり得る。また、再生端末１１は、掃除ロボット１１Ａ等であり得る。なお、ここにおける調理家電４１Ｂの例として、電子レンジ、オーブンレンジ、及びヘルシオ（登録商標）等が挙げられる。
【００３３】
図２が示す音声出力システム１０の具体例において、例えば、冷蔵庫４１Ａ又は調理家電４１Ｂは、ドアの開閉の動作情報を、掃除ロボット１１Ａとネットワーク１とを介して、サーバ２１に送信する。次に、サーバ２１は、当該動作情報に応じて、「料理」又は「食事」に関連する楽曲を選択し、選択した楽曲データを掃除ロボット１１Ａに送信する。次に、掃除ロボット１１Ａは、当該楽曲データが示す楽曲を出力する。
【００３４】
また、別の例では、調理家電４１Ｂ（ヘルシオ（登録商標））は、調理中のレシピデータ（動作情報）を、掃除ロボット１１Ａとネットワーク１とを介して、サーバ２１に送信する。次に、サーバ２１は、当該レシピデータに応じて、「特定の献立」又は「食材」に関連する楽曲を選択し、選択した楽曲データを掃除ロボット１１Ａに送信する。次に、掃除ロボット１１Ａは、当該楽曲データが示す楽曲を出力する。
【００３５】
また、別の例では、学習机４１Ｃは、蛍光灯の点灯又は消灯の動作情報を、掃除ロボット１１Ａとネットワーク１とを介して、サーバ２１に送信する。次に、サーバ２１は、当該動作情報に応じて、「勉強」に関連する楽曲を選択し、選択した楽曲データを掃除ロボット１１Ａに送信する。次に、掃除ロボット１１Ａは、当該楽曲データが示す楽曲を出力する。
【００３６】
また、別の例では、目覚まし時計（アラーム）４１Ｄは、設定された時刻にベルを鳴らすとともに、ベルの動作情報を、掃除ロボット１１Ａとネットワーク１とを介して、サーバ２１に送信する。次に、サーバ２１は、当該動作情報に応じて、所定の時刻の到来に関連する楽曲（例えば「起床」に関する楽曲）を選択し、選択した楽曲データを掃除ロボット１１Ａに送信する。次に、掃除ロボット１１Ａは、当該楽曲データが示す楽曲を出力する。
【００３７】
（音声出力方法）
本実施形態に係る音声出力システム１０による音声出力方法について、図３及び図４を参照して説明する。図３は、本実施形態に係る音声出力システム１０による音声出力方法を説明するシーケンス図である。図４は、本実施形態に係る音声出力システム１０による音声出力方法を説明するフローチャート図である。
【００３８】
まず、ステップＳ１１において、情報取得端末４１の状態検知部４８は、入力受付部４２若しくは音声入力部４３による入力情報、又は動作決定部４７が決定した情報取得端末４１の動作に関する情報を参照して、情報取得端末４１の動作状態を検知し、情報取得端末４１の動作状態を表す動作情報を生成する。また、ステップＳ１１において、状態検知部４８は、当該動作情報を、通信部４５とサーバ２１の通信部２２とを介して、楽曲選択部２３１に送信する。また、これに伴い、通信部４５は、情報取得端末４１の端末情報を、楽曲選択部２３１に送信する。
【００３９】
次に、サーバ２１の楽曲選択部２３１は、記憶部２４が格納している機器管理ＤＢ２４３を参照する（ステップＳ１２）。より詳細には、楽曲選択部２３１は、通信部４５から取得した情報取得端末４１の端末情報に対応する端末種別等を、機器管理ＤＢ２４３を参照して取得する（ステップＳ１２１）。また、楽曲選択部２３１は、機器管理ＤＢ２４３から、再生端末１１の端末情報を取得する（ステップＳ１２２）。
【００４０】
次に、サーバ２１の楽曲選択部２３１は、記憶部２４が格納している選曲ルールＤＢ２４１を参照する（ステップＳ１３）。より詳細には、楽曲選択部２３１は、状態検知部４８が生成した動作情報に基づいて、選曲ルールＤＢ２４１を参照する（ステップＳ１３１）。また、楽曲選択部２３１は、選曲ルールＤＢ２４１から、選曲条件（動作状態と選曲ジャンルとの対応付け等）を取得する（ステップＳ１３２）。
【００４１】
次に、サーバ２１の楽曲選択部２３１は、プレイリスト２４２から、再生用の楽曲を選択する（ステップＳ１４）。より詳細には、楽曲選択部２３１は、ステップＳ１３２で取得した選曲条件に基づいて、プレイリスト２４２に含まれる楽曲から、再生用の楽曲を選択する（ステップＳ１４１）。また、楽曲選択部２３１は、選曲した再生用の楽曲データ（音声データ）を、通信部２２と再生端末１１の通信部１５とを介して再生端末１１の音声出力部１４に送信する（ステップＳ１４２）。なお、当該再生用の楽曲データが示す楽曲に声が含まれる場合、楽曲選択部２３１は、情報取得端末４１の動作情報に基づいて、当該声の声質又は声色を変更してもよい。
【００４２】
次に、再生端末１１の音声出力部１４は、楽曲選択部２３１が選択した楽曲データが示す楽曲を再生する（ステップＳ１５）。以上のように、再生端末１１の音声出力部１４は、情報取得端末４１が生成した動作情報に関連付けられた所定の音声データが表す音声を出力する。なお、ここにおける「動作情報に関連付けられた所定の音声データ」の例として、上記では、動作情報と音声データとが対応付けられたデータベース（選曲ルールＤＢ２４１及びプレイリスト２４２等）を参照して選択された音声データの例を説明した。より具体的な例については後述する。
【００４３】
なお、上記の音声出力方法では、音声出力システム１０は、記憶部２４が格納する各データベースを参照しているが、サーバ２１の外部の別の記憶装置（例えば、外部サーバ）が格納しているデータベースを参照してもよい。その場合、音声出力システム１０がユーザ毎に参照するデータベース（サーバ２１が格納しているデータベース、及び外部サーバが記憶しているデータベース等）を変更できる構成を採用してもよい。
【００４４】
（具体例）
以下で、本実施形態に係る音声出力システム１０による音声出力方法の具体例について詳細に説明する。まず、選曲ルールＤＢ２４１に関する具体例について、表１を参照して説明する。表１は、端末種別と当該端末の動作状態と当該動作状態に対応する選曲ジャンルとを表にしたものである。
【００４５】
【表１】
2019079121.tif 000003
【００４６】
例えば、楽曲選択部２３１は、取得した端末情報が冷蔵庫を示し、取得した動作情報がドアの開閉を示している場合、上述のステップＳ１３において、選曲ルールＤＢ２４１を参照して、当該端末情報及び当該動作状態に関連付けられた選曲ジャンルとして「食事」を設定する。次に、ステップＳ１４において、楽曲選択部２３１は、プレイリスト２４２を参照して、選曲ジャンル「食事」に対応する楽曲データ（音声データ）を選択する。
【００４７】
別の例では、楽曲選択部２３１は、取得した端末情報が電子レンジ又はオーブンを示し（ステップＳ１２の工程で機器管理ＤＢ２４３を参照）、取得した動作情報が調理に関する動作状態（表１参照）を示している場合、上述のステップＳ１３において、選曲ルールＤＢ２４１を参照して、当該端末情報及び当該動作状態に関連付けられた選曲ジャンルとして「料理」に関するジャンル（表１参照）を設定する。次に、ステップＳ１４において、楽曲選択部２３１は、プレイリスト２４２を参照して、「料理」に関する選曲ジャンルに対応する楽曲データ（音声データ）を選択する。
【００４８】
別の例では、楽曲選択部２３１は、取得した端末情報が机の蛍光灯を示し、取得した動作情報が電源のＯＮ又はＯＦＦを示している場合、上述のステップＳ１３において、選曲ルールＤＢ２４１を参照して、当該端末情報及び当該動作状態に関連付けられた選曲ジャンルとして「勉強」を設定する。次に、ステップＳ１４において、楽曲選択部２３１は、プレイリスト２４２を参照して、選曲ジャンル「勉強」に対応する楽曲データ（音声データ）を選択する。
【００４９】
別の例では、楽曲選択部２３１は、取得した端末情報が目覚まし時計（アラーム）を示し、取得した動作情報が起動（ＯＮ）を示している場合、上述のステップＳ１３において、選曲ルールＤＢ２４１を参照して、当該端末情報及び当該動作状態に関連付けられた選曲ジャンルとして「アラーム」を設定する。次に、ステップＳ１４において、楽曲選択部２３１は、プレイリスト２４２を参照して、選曲ジャンル「アラーム」に対応する楽曲データ（音声データ）を選択する。
【００５０】
また、楽曲選択部２３１が参照する端末情報が示す端末の例として、洗濯機、エアコン、空気清浄機、炊飯器、テレビ、及びスマートフォン等の家電製品が挙げられる。
【００５１】
次に、端末の動作状態と、動作状態を場合分けする条件とを参照して選曲する構成の具体例について、表２を参照して説明する。表２は、端末種別と当該端末の動作状態と当該動作状態が発生した時刻と当該動作状態及び時刻に対応する選曲ジャンルとを表にしたものである。
【００５２】
【表２】
2019079121.tif 000004
【００５３】
例えば、上述のステップＳ１１において、情報取得端末４１の状態検知部４８は、生成した動作情報に、当該動作情報が示す動作状態を場合分けする条件として当該動作状態が発生した時刻情報を付加する。そして、楽曲選択部２３１は、取得した端末情報が冷蔵庫を示し（ステップＳ１２の工程で機器管理ＤＢ２４３を参照）、取得した動作情報がドアの開閉を示し、当該動作情報に付随した時刻情報が特定の時刻（表２参照）を示している場合、上述のステップＳ１３において、選曲ルールＤＢ２４１を参照して、当該端末情報、当該動作状態及び当該時刻に関連付けられた選曲ジャンルとして、「朝食」、「昼食」、「おやつ」又は「夕食」を設定する。次に、ステップＳ１４において、楽曲選択部２３１は、プレイリスト２４２を参照して、選曲ジャンル「朝食」、「昼食」、「おやつ」又は「夕食」に対応する楽曲データ（音声データ）を選択する。
【００５４】
別の例では、楽曲選択部２３１は、取得した端末情報が電子レンジを示し、取得した動作情報が温め又は調理の開始を示し、動作情報に付随した時刻情報が「７時〜８時」を示している場合、上述のステップＳ１３において、選曲ルールＤＢ２４１を参照して、当該端末情報、当該動作状態及び当該時刻に関連付けられた選曲ジャンルとして、「朝食」を設定する。次に、ステップＳ１４において、楽曲選択部２３１は、プレイリスト２４２を参照して、選曲ジャンル「朝食」に対応する楽曲データ（音声データ）を選択する。
【００５５】
別の例では、楽曲選択部２３１は、取得した端末情報が机の蛍光灯を示し、取得した動作情報が電源のＯＮ又はＯＦＦを示し、動作情報に付随した時刻情報が特定の時刻（表２を参照）を示している場合、上述のステップＳ１３において、選曲ルールＤＢ２４１を参照して、当該端末情報、当該動作状態及び当該時刻に関連付けられた選曲ジャンルとして、時刻に応じた「勉強」のジャンル（夜中に勉強、徹夜で勉強、又は勉強終了など）を設定する。次に、ステップＳ１４において、楽曲選択部２３１は、プレイリスト２４２を参照して、時刻に応じた「勉強」のジャンルに対応する楽曲データ（音声データ）を選択する。上記の各例のように、動作情報に時間情報を組み合わせてルールを設定することにより、ユーザの行動のシーンを詳細化することで、より適した楽曲を選択することができる。
【００５６】
次に、端末の動作状態と、動作状態を場合分けする条件とを参照して楽曲データを選択し、当該楽曲データ（音声データ）が表す音声を出力するときに、出力パラメータを変更する構成の具体例について、表３を参照して説明する。表３は、端末種別と当該端末の動作状態と当該動作状態に応じた選曲と動作状態を場合分けする条件に応じた出力パラメータ変化とを表にしたものである。
【００５７】
【表３】
2019079121.tif 000005
【００５８】
例えば、上述のステップＳ１１において、情報取得端末４１の状態検知部４８は、生成した動作情報に、当該動作情報が示す動作状態を場合分けする条件として当該動作状態が発生してからの経過時間を示す時間情報を付加する。そして、楽曲選択部２３１は、取得した端末情報が冷蔵庫を示し（ステップＳ１２の工程で機器管理ＤＢ２４３を参照）、取得した動作情報がドアの開閉を示し、当該動作情報に付随した時間情報が「１分経過」を示している場合、上述のステップＳ１４において、プレイリスト２４２を参照して、当該端末情報、当該動作状態及び当該経過時間に関連付けられた楽曲として「お腹ペコペコの歌」を示す楽曲データと、当該経過時間に関連付けられた出力パラメータとして「リズム：早い、声質：高い」とを選択する。次に、ステップＳ１５において、再生端末１１の音声出力部１４は、楽曲選択部２３１が選択した楽曲「お腹ペコペコの歌」を、出力パラメータ「リズム：早い、声質：高い」で再生する。
【００５９】
別の例では、上述のステップＳ１１において、情報取得端末４１の状態検知部４８は、生成した動作情報に、当該動作情報が示す動作状態を場合分けする条件として当該動作状態の設定時間を示す時間情報を付加する。そして、楽曲選択部２３１は、取得した端末情報が電子レンジ又はオーブンを示し（ステップＳ１２の工程で機器管理ＤＢ２４３を参照）、取得した動作情報が「温め／調理の開始」又は「温め／調理の終了」を示し、当該動作情報に付随した時間情報が特定の設定時間（表３を参照）を示している場合、上述のステップＳ１４において、プレイリスト２４２を参照して、当該端末情報、当該動作状態及び当該設定時間に関連付けられた楽曲として「料理開始の歌Ａ」又は「料理終了の歌」を示す楽曲データと、当該設定時間に関連付けられた出力パラメータ（表３を参照）とを選択する。次に、ステップＳ１５において、再生端末１１の音声出力部１４は、楽曲選択部２３１が選択した楽曲「料理開始の歌Ａ」又は「料理終了の歌」を、楽曲選択部２３１が選択した出力パラメータ（表３を参照）で再生する。
【００６０】
別の例では、上述のステップＳ１１において、情報取得端末４１の状態検知部４８は、生成した動作情報に、当該動作情報が示す動作状態を場合分けする条件として当該動作状態が発生してからの経過時間を示す時間情報を付加する。そして、楽曲選択部２３１は、取得した端末情報が目覚まし時計（アラーム）を示し（ステップＳ１２の工程で機器管理ＤＢ２４３を参照）、取得した動作情報が「起動：ＯＮ」を示し、当該動作情報に付随した時間情報が１５秒の経過時間を示している場合、上述のステップＳ１４において、プレイリスト２４２を参照して、当該端末情報、当該動作状態及び当該経過時間に関連付けられた楽曲として「時間だよの歌」を示す楽曲データと、当該経過時間に関連付けられた出力パラメータである「リズム：早い、声質：高い」とを選択する。次に、ステップＳ１５において、再生端末１１の音声出力部１４は、楽曲選択部２３１が選択した楽曲「料理開始の歌Ａ」又は「料理終了の歌」を、出力パラメータ「リズム：早い、声質：高い」で再生する。
【００６１】
以上のように、音声出力システム１０は、ドアの開閉又は調理の進行状態（時間経過）に応じて、再生する楽曲のリズムや声質を変化させる。声質に関しては、長時間の調理であれば、落ち着いた低めの声質で楽曲を再生することが好ましい。また、ドアが開けっ放しになっている場合、又は、制限時間があり、残り時間が短い場合等では、ユーザを促すような高い声質を選択することが好ましい。
【００６２】
また、出力パラメータを変更する構成の変形例について以下で説明する。例えば、出力パラメータとして、音声の出力のタイミングを設定できる構成を採用してもよい。上述の各具体例では、再生端末１１の音声出力部１４は、楽曲選択部２３１が選択した音声を、受け取ったタイミング（即時）で再生しているが、当該変形例では、ユーザが確実に音声を聞けるようなタイミングで音声を出力する。
【００６３】
より詳細には、上述のステップＳ１５において、再生端末１１の音声出力部１４は、ユーザが操作したか否かを判定し、ユーザが操作したと判定した場合に、楽曲選択部２３１が選択した楽曲を再生する（イベント時再生）。また、ユーザが上記の各例における音声の出力タイミングを選択できる構成を採用してもよい。その場合、例えば、ユーザは、音声が即時に出力されるタイミング、及びユーザが再生端末１１を操作したタイミング等を選択できる。
【００６４】
次に、プレイリスト２４２に関する具体例について、表４を参照して説明する。表４は、楽曲名と当該楽曲のジャンルと当該楽曲を示す音声データとを表にしたものである。
【００６５】
【表４】
2019079121.tif 000006
【００６６】
上記で表１を参照して説明したように楽曲選択部２３１がステップＳ１３で設定した選曲ジャンルは、プレイリスト２４２に含まれる。そして、プレイリスト２４２には、選曲ジャンルごとに楽曲情報が保存されており、選曲ジャンルと、対応する楽曲とが、１対１又は１対複数で設定されている。例えば、選曲ジャンルが「食事」である場合、対応する楽曲名は、「お腹ペコペコの歌」又は「おやつの歌」である。その場合、楽曲選択部２３１は、ステップＳ１３において設定した選曲ジャンル「食事」に対応する楽曲「お腹ペコペコの歌」又は「おやつの歌」を、ステップＳ１４においてプレイリスト２４２を参照して選択する。当該例のように、選曲ジャンルに対応する楽曲が複数ある場合、楽曲選択部２３１は、当該複数の楽曲からランダムに楽曲を選択してもよいし、優先度に応じて適切な楽曲を選択してもよい。
【００６７】
次に、情報取得端末４１が調理家電であり、動作情報が調理家電で設定されたメニュー情報である構成の具体例について、表５を参照して説明する。表５は、メニューと当該メニューの材料と当該メニューの料理ジャンルとを表にしたもの（上段のメニュー情報）、及び、楽曲名と当該楽曲の歌詞と料理ジャンルと楽曲データとを表にしたもの（下段のプレイリスト情報）である。
【００６８】
【表５】
2019079121.tif 000007
【００６９】
例えば、楽曲選択部２３１は、取得した端末情報が調理家電を示し、取得した動作情報が調理中のメニュー情報を示している場合、上述のステップＳ１３において、選曲ルールＤＢ２４１を参照して、当該端末情報及び当該メニュー情報に関連付けられた料理ジャンル（前述の選曲ジャンルに相当）を設定する。次に、ステップＳ１４において、楽曲選択部２３１は、プレイリスト２４２を参照して、当該料理ジャンルに対応する楽曲データ（音声データ）を選択する。
【００７０】
より詳細には、表５において、楽曲選択部２３１は、取得した端末情報が調理家電を示し、取得した動作情報が調理中のメニュー情報「肉じゃが」を示している場合、上述のステップＳ１３において、選曲ルールＤＢ２４１を参照して、当該端末情報及び当該メニュー情報に関連付けられた料理ジャンルとして「日本料理」（表５のＡ）を設定する。次に、ステップＳ１４において、楽曲選択部２３１は、プレイリスト２４２を参照して、料理ジャンル「日本料理」に対応する楽曲データ「日本料理の歌」を選択する。
【００７１】
また、当該具体例において、楽曲選択部２３１は、料理ジャンルを設定せずに、メニュー情報のみに基づいて楽曲を選択してもよい。例えば、楽曲選択部２３１は、取得した端末情報が調理家電を示し、取得した動作情報が調理中のメニュー情報「サバの味噌煮」（表５のＢ）を示している場合、上述のステップＳ１４において、プレイリスト２４２を参照して、歌詞に「サバ」が含まれている楽曲データ「お魚パラダイス」（表５のＣ）を選択してもよい。また、当該工程において、楽曲選択部２３１は、取得した端末情報が調理家電を示し、取得した動作情報が調理中のメニューの食材情報を示している場合、上述のステップＳ１４において、プレイリスト２４２を参照して、歌詞に当該食材が含まれている楽曲データを選択してもよい。また、当該工程において、楽曲選択部２３１は、取得した端末情報が調理家電を示し、取得した動作情報が調理中のメニュー情報又はメニューの食材情報を示している場合、上述のステップＳ１４において、プレイリスト２４２を参照して、曲名に当該メニュー名又は当該食材が含まれている楽曲データを選択してもよい。
【００７２】
次に、機器管理ＤＢ２４３に関する具体例について、表６を参照して説明する。表６は、ユーザＩＤと端末ＩＤ（ＭＡＣ）と端末種別と楽曲を再生可能であるか否かの指標とを表にしたものである。
【００７３】
【表６】
2019079121.tif 000008
【００７４】
表６が示すように、機器管理ＤＢ２４３が含むユーザＩＤと当該ユーザＩＤに対応する端末ＩＤ（ＭＡＣ）によって、ユーザ毎に所有する端末を管理することができる。例えば、上述のステップＳ１２において、楽曲選択部２３１は、通信部４５から取得した情報取得端末４１の端末情報であるユーザＩＤ及び端末ＩＤに対応する端末種別を、機器管理ＤＢ２４３を参照して取得する。また、楽曲選択部２３１は、機器管理ＤＢ２４３から、当該端末種別に分類される端末が楽曲を再生可能であるか否かの指標を取得する。
【００７５】
（まとめ）
以上のように、本実施形態に係る音声出力システム１０は、第１の端末制御部（制御部４６）と、第１の端末通信部（通信部４５）とを含む第１の端末装置（情報取得端末４１）と、（２）サーバ制御部（制御部２３）と、サーバ通信部（通信部２２）とを含むサーバ（サーバ２１）と、（３）第２の端末制御部（動作決定部１７、状態検知部１８）と、第２の端末通信部（通信部１５）と、音声出力部（１７）とを含む第２の端末装置（再生端末１１）と、を備え、上記第１の端末装置と、上記サーバと、上記第２の端末装置とがネットワーク接続された音声出力システムであって、上記第１の端末装置の動作状態を表す動作情報を生成し、且つ、当該動作情報に関連付けられた所定の音声データが表す音声を上記音声出力部を介して出力する。
【００７６】
上記の構成によれば、音声出力システム１０は、第１に端末操作の動作情報を取得することによってユーザの行動の変化を検知することができるため、次なる音声データの選択にユーザの行動を反映させることができる。したがって、音声出力システム１０においては、サーバがユーザの行動を反映した音声データを選択し、且つ、第２の端末装置がユーザの行動を反映させた音声データが表す音を再生することができる。このように、音声出力システム１０は、第１の端末装置を使用しているユーザの行動が反映された音声を再生することができる。
【００７７】
また、本実施形態の一態様に係る音声出力システム１０は、上記第１の端末制御部は、上記動作情報を上記サーバに送信し、上記サーバ制御部は、動作状態と、音声データとが関連付けられた選曲ルールデータベース（選曲ルールＤＢ２４１及びプレイリスト２４２）を参照し、上記動作情報が表す動作状態に関連付けられた音声データのうち何れか１つの音声データを上記所定の音声データとして選択し、当該所定の音声データを上記第２の端末装置に送信し、上記第２の端末制御部は、上記サーバから受信した上記所定の音声データが表す上記音声を、上記音声出力部を介して出力する。
【００７８】
上記の構成によれば、選曲ルールデータベースを参照することにより、第１の端末装置の動作状態に応じた適切な音声データを選択することができるため、選曲ルールデータベースを適宜構築することで、第１の端末装置を使用しているユーザの行動をより反映した音声を再生することができる。
【００７９】
また、本実施形態の一態様に係る音声出力システム１０は、上記第１の端末制御部は、上記動作情報を上記サーバに送信し、上記サーバ制御部は、動作状態と、当該動作状態を場合分けする条件と、音声データとが関連付けられた選曲ルールデータベースを参照し、上記動作状態が適合する条件に関連付けられた音声データのうち何れか１つの音声データを上記所定の音声データとして選択し、当該所定の音声データを上記第２の端末装置に送信し、上記第２の端末制御部は、上記サーバから受信した上記所定の音声データが表す上記音声を、上記音声出力部を介して出力する。
【００８０】
上記の構成によれば、端末装置の動作状態に加えて、端末装置の動作状態を場合分けする条件に応じた音声データを選択することができるため、当該条件をユーザの行動に応じて適宜設定することにより、端末装置を使用しているユーザの行動をより反映した音声を再生することができる。
【００８１】
また、本実施形態の一態様に係る音声出力システム１０は、上記第１の端末制御部は、上記動作情報を上記サーバに送信し、上記サーバ制御部は、動作状態と、当該動作状態を場合分けする条件と、音声データと、当該音声データが表す音声を出力するときの出力パラメータとが関連付けられた選曲ルールデータベースを参照し、上記動作状態が適合する条件に関連付けられた音声データのうち何れか１つの音声データを上記所定の音声データとして選択し、且つ、上記動作状態が適合する条件に関連付けられた上記出力パラメータを選択し、上記所定の音声データ及び上記出力パラメータを上記第２の端末装置に送信し、上記第２の端末制御部は、上記サーバから受信した当該所定の音声データが表す上記音声を、上記サーバから受信した上記出力パラメータにしたがって、上記音声出力部を介して出力する。
【００８２】
上記の構成によれば、端末装置の動作状態に応じた出力パラメータを選択することができるため、端末装置を使用しているユーザの行動が反映された出力パラメータで、音声を出力することができる。
【００８３】
また、本実施形態の一態様に係る音声出力方法は、第１の端末装置と、サーバと、音声出力部を含む第２の端末装置とを備え、上記第１の端末装置と、上記サーバと、上記第２の端末装置とがネットワーク接続された音声出力システムが音声を出力する音声出力方法であって、当該第１の端末装置の動作状態を表す動作情報を生成する動作情報生成工程と、当該動作情報に関連付けられた所定の音声データを選択する音声データ選択工程と、上記所定の音声データが表す音声を上記音声出力部を介して出力する音声出力工程と、を含む。
【００８４】
上記の構成によれば、第１の端末装置の動作状態に応じた音声データが示す音声を、第２の端末装置が出力することができる。これにより、第１の端末装置を使用しているユーザの行動が反映された音声を再生することができる。
【００８５】
〔実施形態２〕
本発明の実施形態２について、図面に基づいて説明すれば、以下のとおりである。図５は、本実施形態に係る音声出力システム１００の構成を示すブロック図である。図５が示すように、本実施形態に係る音声出力システム１００は、実施形態１で説明した音声出力システム１０において、再生端末１１及び情報取得端末４１の代わりに、情報取得・再生端末５１を含む構成を有している。情報取得・再生端末５１は、再生端末１１及び情報取得端末４１と同様の構成を有しているため、実施形態１にて説明した音声出力システム１０が備えている部材と同じ機能を有する部材については、同じ名称を付記し、その説明を省略する。
【００８６】
以下で、本実施形態に係る音声出力システム１００による音声出力方法について、図６及び図７を参照して説明する。図６は、本実施形態に係る音声出力システム１００による音声出力方法を説明するシーケンス図である。図７は、本実施形態に係る音声出力システム１００による音声出力方法を説明するフローチャート図である。なお、実施形態１に係る音声出力方法と同様の工程については、詳細な説明は省略する。
【００８７】
まず、ステップＳ２１において、情報取得・再生端末５１の制御部５６がプログラムを実行することで実現する状態検知部５８は、入力受付部４２若しくは音声入力部４３による入力情報、又は動作決定部５７が決定した情報取得・再生端末５１の動作に関する情報を参照して、情報取得・再生端末５１の動作状態を検知し、情報取得・再生端末５１の動作状態を表す動作情報を生成する。また、ステップＳ２１において、状態検知部５８は、当該動作情報を、通信部４５とサーバ２１の通信部２２とを介して、楽曲選択部２３１に送信する。
【００８８】
次に、サーバ２１の楽曲選択部２３１は、記憶部２４が格納している選曲ルールＤＢ２４１を参照する（ステップＳ２２）。より詳細には、楽曲選択部２３１は、状態検知部５８が生成した動作情報に基づいて、選曲ルールＤＢ２４１に含まれる選曲ルールを参照する（ステップＳ２２１）。また、楽曲選択部２３１は、選曲ルールＤＢ２４１から、選曲条件を取得する（ステップＳ２２２）。
【００８９】
次に、サーバ２１の楽曲選択部２３１は、プレイリスト２４２から、再生用の楽曲を選択する（ステップＳ２３）。より詳細には、楽曲選択部２３１は、ステップＳ２２２で取得した選曲条件に基づいて、プレイリスト２４２に含まれる楽曲から、再生用の楽曲を選択する（ステップＳ２３１）。また、楽曲選択部２３１は、選曲した再生用の楽曲データ（音声データ）を、通信部２２と情報取得・再生端末５１の通信部５５とを介して情報取得・再生端末５１の音声出力部５４に送信する（ステップＳ２３２）。
【００９０】
次に、情報取得・再生端末５１の音声出力部５４は、楽曲選択部２３１が選択した楽曲データが示す楽曲を再生する（ステップＳ１５）。
【００９１】
（具体例）
以下で、本実施形態に係る音声出力システム１００の具体例について説明する。実施形態１で説明した各具体例は、本実施形態にも適用できるが、本実施形態における具体例では、情報取得・再生端末５１が調理家電（例えば、ヘルシオ（登録商標））である例について説明する。
【００９２】
例えば、楽曲選択部２３１は、取得した動作情報が調理中のメニュー情報を示している場合、上述のステップＳ２２において、選曲ルールＤＢ２４１を参照して、当該メニュー情報に関連付けられた料理ジャンルを設定する。次に、ステップＳ２３において、楽曲選択部２３１は、プレイリスト２４２を参照して、当該料理ジャンルに対応する楽曲データ（音声データ）を選択する。また、別の例では、楽曲選択部２３１は、取得した動作情報が調理中のメニュー情報を示している場合、上述のステップＳ２３において、プレイリスト２４２を参照して、歌詞にメニュー名又はメニューの材料が含まれている楽曲データを選択してもよい。
【００９３】
上記の具体例の構成によれば、調理機器において、メニューに応じた楽曲を再生することができる。
【００９４】
（まとめ）
以上のように、本実施形態に係る音声出力システム１００は、（１）端末制御部（制御部５６）と、端末通信部（通信部５５）と、音声出力部（音声出力部５４）とを含む端末装置（情報取得・再生端末５１）と、（２）サーバ制御部（制御部２３）と、サーバ通信部（通信部２２）とを含むサーバ（サーバ２１）と、を備え、上記端末通信部及び上記サーバ通信部を介して上記端末装置と上記サーバとがネットワーク接続された音声出力システムであって、当該端末装置の動作状態を表す動作情報を生成し、且つ、当該動作情報に関連付けられた所定の音声データが表す音声を上記音声出力部を介して出力する。
【００９５】
上記の構成によれば、音声出力システム１００は、第１に端末操作の動作情報を取得することによってユーザの行動の変化を検知することができるため、次なる音声データの選択にユーザの行動を反映させることができる。したがって、音声出力システム１００においては、サーバがユーザの行動を反映した音声データを選択し、且つ、端末装置がユーザの行動を反映させた音声データが表す音を再生することができる。このように、音声出力システム１００は、端末装置を使用しているユーザの行動が反映された音声を再生することができる。
【００９６】
〔実施形態３〕
本発明の実施形態３について、図面に基づいて説明すれば、以下のとおりである。図８は、本実施形態に係る情報取得・再生端末７１の構成を示すブロック図である。図８が示すように、本実施形態に係る情報取得・再生端末７１は、情報取得・再生端末５１の構成において、通信部５５の代わりに、上述の実施形態１及び実施形態２で説明したサーバ２１の楽曲選択部２３１及び記憶部２４と同様の構成である楽曲選択部７８及び記憶部７９を備えている。そのため、実施形態１にて説明した音声出力システム１０、又は実施形態２にて説明した音声出力システム１００が備えている部材と同じ機能を有する部材については、同じ名称を付記し、その説明を省略する。図８が示す情報取得・再生端末７１のように、サーバ２１を備えていない構成においても、実施形態１又は実施形態２で説明した各構成の効果と同様の効果を奏することができる。
【００９７】
また、本実施形態に係る情報取得・再生端末７１による音声出力方法は、制御部７５の状態検知部７７が動作情報を通信部４５及び通信部２２を介さずに楽曲選択部７８に送信することと、制御部７５の楽曲選択部７８が選択した楽曲データを通信部４５及び通信部２２を介さずに音声出力部７４に送信すること以外は、実施形態２に係る音声出力方法と同様である。また、実施形態１で説明した具体例と実施形態２で説明した具体例とは、本実施形態においても適用可能であり、同様の効果を奏することができる。
【００９８】
（まとめ）
以上のように、本実施形態に係る情報取得・再生端末７１は、制御部（制御部７５）と、音声出力部（７９）と、を備えた端末装置であって、上記制御部は、当該端末装置の動作状態を表す動作情報を生成し、且つ、当該動作情報に関連付けられた所定の音声データが表す音声を上記音声出力部を介して出力する。
【００９９】
上記の構成によれば、情報取得・再生端末７１は、第１に端末操作の動作情報を取得することによってユーザの行動の変化を検知することができるため、次なる音声データの選択にユーザの行動を反映させることができる。したがって、情報取得・再生端末７１においては、端末装置が、ユーザの行動を反映した音声データを選択し、且つ、ユーザの行動を反映させた音声データが表す音を再生することができる。このように、情報取得・再生端末７１は、端末装置を使用しているユーザの行動が反映された音声を再生することができる。
【０１００】
〔ソフトウェアによる実現例〕
再生端末１１、サーバ２１、情報取得端末４１、情報取得・再生端末５１又は情報取得・再生端末７１の制御ブロック（特に、制御部１６、制御部２３、制御部４６、制御部５６、制御部７５）は、集積回路（ＩＣチップ）等に形成された論理回路（ハードウェア）によって実現してもよいし、ソフトウェアによって実現してもよい。
【０１０１】
後者の場合、再生端末１１、サーバ２１、情報取得端末４１、情報取得・再生端末５１又は情報取得・再生端末７１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０２】
〔実施形態４〕
上記各実施形態では、１つのサーバ２１を用いる例を説明したが、サーバ２１の有する各機能が、個別のサーバにて実現されていてもよい。そして、複数のサーバを適用する場合においては、各サーバは、同じ事業者によって管理されていてもよいし、異なる事業者によって管理されていてもよい。
【０１０３】
〔実施形態５〕
再生端末１１、情報取得端末４１、情報取得・再生端末５１、情報取得・再生端末７１及びサーバ２１の各ブロックは、集積回路（ＩＣチップ）等に形成された論理回路（ハードウェア）によって実現してもよいし、ソフトウェアによって実現してもよい。後者の場合、再生端末１１、情報取得端末４１、情報取得・再生端末５１、情報取得・再生端末７１及びサーバ２１のそれぞれを、図９に示すようなコンピュータ（電子計算機）を用いて構成することができる。
【０１０４】
図９は、再生端末１１、情報取得端末４１、情報取得・再生端末５１、情報取得・再生端末７１又はサーバ２１として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１０５】
補助記憶装置９１４には、コンピュータ９１０を再生端末１１、情報取得端末４１、情報取得・再生端末５１、情報取得・再生端末７１又はサーバ２１として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、再生端末１１、情報取得端末４１、情報取得・再生端末５１、情報取得・再生端末７１又はサーバ２１が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【０１０６】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１０７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０８】
１  ネットワーク
１０、１００  音声出力システム
１１再生端末
５１、７１  情報取得・再生端末
１２、４２  入力受付部
１３、４３  音声入力部
１４、４４、５４、７４  音声出力部
１５、２２、４５、５５  通信部
１６、２３、４６、５６、７５  制御部
１７、４７、５７、７６  動作決定部
１８、４８、５８、７７  状態検知部
２１  サーバ
２４、７９  記憶部
４１  情報取得端末
７８、２３１  楽曲選択部
９１０  コンピュータ
９１１  バス
９１２  演算装置
９１３  主記憶装置
９１４  補助記憶装置
９１５  入出力インターフェース
９１６  通信インターフェース
９２０  入力装置
９３０  出力装置
【図１】
2019079121.tif 000009
【図２】
2019079121.tif 000010
【図３】
2019079121.tif 000011
【図４】
2019079121.tif 000012
【図５】
2019079121.tif 000013
【図６】
2019079121.tif 000014
【図７】
2019079121.tif 000015
【図８】
2019079121.tif 000016
【図９】
2019079121.tif 000017